(57)【特許請求の範囲】
【請求項１】
ベース部と、
前記ベース部上に並ぶ複数の単電池と、を有し、
前記ベース部が、
前記複数の単電池が並べられる電池保持部と、
前記電池保持部から反単電池側に突出する第１のリブと、を備え、
前記ベース部の前記電池保持部に、開口が形成されており、
前記第１のリブが切り起こしであって、
前記開口がその切り起こしによって形成された貫通穴である、蓄電装置。
【請求項２】
前記ベース部が前記電池保持部の周縁に沿って設けられて反単電池側に突出する枠状の第２のリブを備える、請求項１に記載の蓄電装置。
【請求項３】
前記ベース部の前記第１のリブと前記第２のリブが同一の突出高さを備える、請求項２に記載の蓄電装置。
【請求項４】
前記第１のリブが前記第２のリブに囲まれた前記電池保持部の部分の中央に位置する、請求項２または３に記載の蓄電装置。
【請求項５】
前記開口が、前記複数の単電池の間の複数の隙間それぞれに対向するように、前記ベー
ス部の電池保持部に形成されている、請求項１から４のいずれか一項に記載の蓄電装置。
【請求項６】
前記開口が、その長手方向が前記単電池の長手方向と平行になるように形成されている、請求項５に記載の蓄電装置。
【請求項７】
前記ベース部の前記電池保持部に並べられた前記複数の単電池を覆うカバー部を有し、
前記カバー部が前記ベース部の前記複数の開口と対向する複数の開口を備える、請求項５または６に記載の蓄電装置。
【請求項８】
前記カバー部の前記開口の開口面積が前記ベース部の前記開口の開口面積に比べて小さい、請求項７に記載の蓄電装置。
【発明の詳細な説明】
【技術分野】
【０００１】
本発明は、複数の単電池を備える蓄電装置に関する。
【背景技術】
【０００２】
従来より、複数の単電池を並べた状態で備える蓄電装置が知られている。例えば特許文献１に記載された蓄電装置の場合、複数の単電池が枠状のベース部上に並べられている。その複数の単電池は、枠状のベース部の開口部を通過する気流によって冷却される。
【先行技術文献】
【特許文献】
【０００３】
【特許文献１】特開２０１２−２０４２９８号公報
【発明の概要】
【発明が解決しようとする課題】
【０００４】
ところで、近年、車両などの移動体に搭載する蓄電装置として、より多くの単電池を有する、すなわち容量がより大きい蓄電装置が所望されている。しかし、移動体に搭載する蓄電装置の場合、剛性が必要である。したがって、より多くの単電池を蓄電装置が備える場合、蓄電装置はより高い剛性が必要である。しかし、蓄電装置の剛性を高めると、蓄電装置の重量が増加する。
【０００５】
そこで、本発明は、複数の単電池を備える蓄電装置について、重量増加を抑制しつつより高い剛性を実現することを課題とする。
【課題を解決するための手段】
【０００６】
上記技術課題を解決するために、本発明の一態様によれば、
ベース部と、
ベース部上に並ぶ複数の単電池と、を有し、
ベース部が、
複数の単電池が並べられる電池保持部と、
電池保持部から反単電池側に突出する第１のリブと、を備え、
ベース部の電池保持部に、開口が形成されている、蓄電装置が提供される。
【０００７】
このような本発明の第１の態様によれば、第１のリブを備えることにより、軽量で且つ高い剛性を持ち、また単電池を冷却するための開口を備えるベース部を実現することができる。その結果、ベース部を備える蓄電装置について、重量増加を抑制しつつ、より高い剛性を実現することができる。なお、第１のリブは、放熱フィンの役割もする。すなわち、単電池ベース部に伝達された熱を外部に放出する役割をする。それにより、単電池を冷却することができる。また、第１のリブがベース部の電池保持部から反単電池側に突出しているため、複数の単電池の電池保持部上での配置自由度が高い。そのために、電池保持部上に配置できる単電池の個数またはそのサイズが増加する。したがって、蓄電装置のエネルギ密度が増加する。
【０００８】
本発明の第２の態様によれば、
第１のリブが切り起こしであって、
開口がその切り起こしによって形成された貫通穴である、第１の態様の蓄電装置が提供される。
【０００９】
このような本発明の第２の態様によれば、第１のリブと開口とを同時に作成することができる。また、第１のリブが、開口内に気流を導くガイドとして機能する。
【００１０】
本発明の第３の態様によれば、
ベース部が電池保持部の周縁に沿って設けられて反単電池側に突出する枠状の第２のリブを備える、第１または第２の態様の蓄電装置が提供される。
【００１１】
このような本発明の第３の態様によれば、さらにベース部の剛性が向上し、それにより蓄電装置の剛性も向上する。
【００１２】
本発明の第４の態様によれば、
ベース部の第１のリブと第２のリブが同一の突出高さを備える、第３の態様の蓄電装置が提供される。
【００１３】
このような本発明の第４の態様によれば、ベース部の電池保持部に並べられた複数の単電池の重量を第１のリブと第２のリブの両方で支えることができる。
【００１４】
本発明の第５の態様によれば、
第１のリブが第２のリブに囲まれた電池保持部の部分の中央に位置する、第３または第４の態様の蓄電装置が提供される。
【００１５】
このような本発明の第５の態様によれば、大きいたわみやすいベース部の電池保持部の部分の中央に第１のリブが位置することにより、その大きなたわみの発生を抑制することができる。
【００１６】
本発明の第６の態様によれば、
開口が、複数の単電池の間の複数の隙間それぞれに対向するように、ベース部の電池保持部に形成されている、第１から第５の態様のいずれか一の蓄電装置が提供される。
【００１７】
このような本発明の第６の態様によれば、単電池を冷却するための開口が、を複数の単電池の間の複数の隙間それぞれに対向するベース部の位置にピンポイントに設けられる。それにより、ベース部への開口部の形成を最小限に抑制することができ、その結果としてベース部の剛性を十分に確保することができる。
【００１８】
本発明の第７の態様によれば、
開口が、その長手方向が単電池の長手方向と平行になるように形成されている、第６の態様の蓄電装置が提供される。
【００１９】
このような本発明の第７の態様によれば、ベース部の開口の長手方向が単電池の長手方向、すなわち単電池間の隙間の長手方向に対して平行ではなくねじれの位置関係にある場合に比べて、ベース部の開口を通過した気流の多くが、単電池間の隙間に流入する。その結果として、単電池の冷却性が向上する。
【００２０】
本発明の第８の態様によれば、
ベース部の電池保持部に並べられた複数の単電池を覆うカバー部を有し、
カバー部がベース部の複数の開口と対向する複数の開口を備える、第６または第７の態様の蓄電装置が提供される。
【００２１】
このような本発明の第８の態様によれば、単電池の間の隙間に、ベース部の開口からカバー部の開口に向かう気流を発生させることが可能になる。この気流によって単電池それぞれを冷却することができる。
【００２２】
本発明の第９の態様によれば、
カバー部の開口の開口面積がベース部の開口の開口面積に比べて小さい、第８の態様の蓄電装置が提供される。
【００２３】
このような本発明の第９の態様によれば、ベース部の開口を通過した気流の一部がすぐにカバー部の開口を介して外部に出ずに、単電池の周りに流れる。その結果、単電池がより冷却される。
【発明の効果】
【００２４】
本発明によれば、第１のリブを備えることにより、軽量で且つ高い剛性を持ち、また単電池を冷却するための開口を備えるベース部を実現することができる。その結果、ベース部を備える蓄電装置について、重量増加を抑制しつつ、より高い剛性を実現することができる。
【図面の簡単な説明】
【００２５】
【図１】本発明の一実施の形態に係る蓄電装置の斜視図
【図２】図１とは蓄電装置の裏側を示す斜視図
【図３】蓄電装置の分解斜視図
【図４】電池モジュールの分解図
【図５】複数の単電池の電気的接続を示す平面図
【図６】第１および第２のキャップが取り付けられた状態の単電池の斜視図
【図７】図６Ａとは異なる方向から見た、第１および第２のキャップが取り付けられた状態の単電池のさらなる斜視図
【図８】第２のキャップの斜視図
【図９】図６Ａとは異なる方向から見た、第２のキャップの斜視図
【図１０】蓄電装置のベース部の斜視図
【図１１】図７Ａとは異なる方向から見た、蓄電装置のベース部の斜視図
【図１２】蓄電装置の断面図
【図１３】ベース部における複数の開口のレイアウト図
【図１４】隣接し合う第２のキャップの断面図
【図１５】異なる形態の第２のキャップの断面図
【発明を実施するための形態】
【００２６】
以下、本発明の一実施の形態に係る蓄電装置について図面を参照しながら説明する。
【００２７】
図１Ａおよび図２は、本発明の一実施の形態に係る蓄電装置の斜視図である。図３は、蓄電装置の分解図である。なお、発明を理解しやすくするために、互いに直交し合うＸ軸、Ｙ軸、およびＺ軸からなるＸ−Ｙ−Ｚ座標系が定義されている。Ｘ軸方向は蓄電装置における幅方向を示し、Ｙ軸方向は奥行き方向を示し、Ｚ軸方向は高さ方向を示している。また、本明細書において、「上側」および「下側」は、図面において「上側」および「下側」を示すものであって、「下側」要素の上方に「上側」要素が必ず存在する状態で本発明に係る蓄電装置が使用されることに限定するものではない。
【００２８】
図１〜図３に示すように、蓄電装置１０は、略直方体形状であって、その内部に電池モジュール１２を有する。蓄電装置１０は、例えば、回生エネルギを電気として蓄えるために、複数基並べて鉄道車両の下部に搭載される。
【００２９】
図３に示すように、電池モジュール１２は、複数の単電池１４から構成されている。本実施の形態の場合、１２個の単電池１４が二列で奥行き方向（Ｙ軸方向）に並ぶことにより、電池モジュール１２が構成されている。
【００３０】
図４は、電池モジュール１２の分解図である。図４に示すように、単電池１４それぞれは、概ね直方体形状であって、外部端子としての正極端子１４ａおよび負極端子１４ｂを、高さ方向（Ｚ軸方向）の一方側の端面（上側端面）１４ｃに備える。また、幅方向（Ｘ軸方向）、奥行き方向（Ｙ軸方向）、および高さ方向（Ｚ軸方向）のサイズにおいて、幅方向のサイズが最も大きく、奥行き方向のサイズが最も小さい。
【００３１】
図４および図５に示すように、電池モジュール１２において、複数の単電池１４は、電気的に直列に接続され、直列回路を構成する。具体的には、複数の単電池１４の正極端子１４ａおよび負極端子１４ｂそれぞれは、銅材料などで作製された金属プレート１６を介して隣接する他の単電池１４の正極端子１４ａおよび負極端子１４ｂに電気的に接続されている。電池モジュール１２の直列回路において末端それぞれに位置する一方の単電池１４（１４Ａ）の負極端子１４ｂと他方の単電池１４（１４Ｂ）の正極端子１４ａには、蓄電装置１０の外部の装置（例えば他の蓄電装置１０）と電気的に接続するための取り出し端子１８が取り付けられている。
【００３２】
図３〜図７に示すように、単電池１４それぞれの正極端子１４ａおよび負極端子１４ｂは、第１のキャップ２０によって覆われて保護されている。具体的には、第１のキャップ２０は、樹脂材料から作製され、単電池１４それぞれに２つずつ設けられている。一方の第１のキャップ２０は、正極端子１４ａ側の単電池１４の角部を覆うように該角部に装着されている。他方の第１のキャップ２０は、負極端子１４ｂ側の単電池１４の角部を覆うように該角部に装着されている。なお、単電池１４それぞれに装着される２つの第１のキャップ２０は別体であるが、一体であってもよい。
【００３３】
図３〜図７に示すように、個々の単電池１４には、正極端子１４ａおよび負極端子１４ｂが設けられた高さ方向（Ｚ軸方向）の一方側の端部（上側端部）とは反対側の単電池１４の他方側の端部（下側端部）に、第２のキャップ２２がそれぞれ装着されている。
【００３４】
第２のキャップ２２は、第１のキャップ２０と同様に樹脂材料から作製されている。しかし、第２のキャップ２２は、第１のキャップ２０と異なり、単電池１４の下側端部を幅方向（Ｘ軸方向）および奥行き方向（Ｙ軸方向）全体にわたって覆う。なお、この第２のキャップ２２のさらなる詳細については後述する。
【００３５】
図１〜図３に示すように、蓄電装置１０は、複数の単電池１４（電池モジュール１２）を保持するベース部２４と、ベース部２４に保持された複数の単電池１４を覆うカバー部２６とを有する。本実施の形態の場合、複数の単電池１４（電池モジュール１２）は、ベース部２４とカバー部２６とに挟持（保持）されている。このベース部２４とカバー部２６は、その幅方向（Ｘ軸方向）の両端がサイド部２８、３０に固定されることによって該サイド部２８、３０に支持されている。
【００３６】
カバー部２６は、例えば金属薄板を板金プレス加工することによって形成された部材であって、単電池１４それぞれに装着された状態の第１のキャップ２０を保持する。具体的には、第１のキャップ２０それぞれには、高さ方向（Ｚ軸方向）に突出する円柱状の係合部２０ａが設けられている。一方、カバー部２６には、複数の第１のキャップ２０それぞれの係合部２０ａが挿通可能な複数の係合穴２６ａが形成されている。
【００３７】
ベース部２４は、例えば金属薄板を板金プレス加工することによって形成された部材であって、単電池１４それぞれに装着された状態の第２のキャップ２２を保持する。具体的には、図２、図６〜図９に示すように、特に図９に示すように、単電池１４の高さ方向（Ｚ軸方向）の下側端部（正極端子１４ａおよび負極端子１４ｂが設けられている上側端部とは反対側の端部）に対向する第２のキャップ２２の底部２２ａに、高さ方向に突出する円柱状の２つの係合部２２ｂが設けられている。一方、図２、図１０〜図１１に示すように、ベース部２４は、複数の単電池１４を保持する電池保持部２４ａに、複数の第２のキャップ２２それぞれの係合部２２ｂが挿通可能な複数の係合穴２４ｂを備える。
【００３８】
第１のキャップ２０それぞれの係合部２０ａがカバー部２６の係合穴２６ａに挿通され、且つ、第２のキャップ２２それぞれの係合部２２ｂがベース部２４の係合穴２４ｂに挿通される。それにより、第１のキャップ２０および第２のキャップ２２が装着された状態の単電池１４は、カバー部２６とベース部２４とによって挟持される。
【００３９】
なお、複数の単電池１４を第２のキャップ２２を介して保持するベース部２４は、蓄電装置１０の基台として機能し、蓄電装置１０全体の剛性に大きく関与する。したがって、ベース部２４は、その変形を抑制するように構成されている。
【００４０】
具体的には、図３、図１０、および図１１に示すように、ベース部２４は、複数の単電池１４を保持する電池保持部２４ａの周縁から反単電池側（単電池１４が存在しない側）に突出する枠状の第２のリブ２４ｃと、第２のリブ２４ｃに囲まれた電池保持部２４ａの部分から反単電池側に突出する第１のリブ２４ｄとを備える。例えば、第２のリブ２４ｃは、金属薄板の周縁を折り曲げて起こすことによって形成される。また例えば、第１のリブ２４ｄは、切り起こしによって形成される。
【００４１】
枠状の第２のリブ２４ｃとその内側に設けられた第１のリブ２４ｄとにより、電池保持部２４ａ上の複数の単電池１４の重量によるベース部２４のたわみ変形が抑制されるとともに、ベース部２４を軽量化することができる（リブ２４ｃ、２４ｄがない場合に比べて）。
【００４２】
第１のリブ２４ｄおよび第２のリブ２４ｃを設けることなくベース部２４を構成する場合、そのベース部２４は、複数の単電池１４の重量によって変形しない厚みを備える金属板で作成する必要がある。しかし、その場合、ベース部２４の重量が増加し、結果として蓄電装置１０の重量が増加する。重量が増加した蓄電装置１０は、車両などの移動体に搭載するのには適さない。
【００４３】
一方、第１のリブ２４ｄおよび第２のリブ２４ｃを設けることにより、ベース部２４を軽量な金属薄板で作成し、複数の単電池１４の重量に対して十分な剛性（たわみ剛性および曲げ剛性）を確保することができる。また、図２に示すように、複数の貫通穴（係合穴２４ｂおよび後述する通風口（開口）２４ｅ）が形成されているベース部２４の剛性を向上させることができる。それにより、車両などの移動体への搭載に適した、剛性が高く且つ軽量な蓄電装置１０を実現することができる。
【００４４】
なお、図１１に示すように、第１のリブ２４ｄは、大きくたわみやすい第２のリブ２４ｃに囲まれたベース部２４の部分の中央に設けられるのが好ましい。また、ベース部２４が一方向に長い場合、第１のリブ２４ｄはベース部２４の長手方向に延在するのが好ましい。本実施の形態の場合、第１のリブ２４ｄは、幅方向（Ｘ軸方向）に延在している。
【００４５】
また、蓄電装置１０が平面上に載置されて使用される場合、枠状の第２のリブ２４ｃとその内側に設けられた第１のリブ２４ｄは、電池保持部２４ａからの突出高さが等しいのが好ましい。これにより、ベース部２４の電池保持部２４ａ上の複数の単電池１４の重量を第２のリブ２４ｃだけでなく、第１のリブ２４ｄでも支えることができる。その結果、ベース部２４の変形をより抑制することができる。
【００４６】
さらにまた、第１のリブ２４ｄおよび第２のリブ２４ｃは、ベース部２３４の変形を抑制するだけでなく、放熱フィンの役割もする。すなわち、単電池１４からベース部２４に伝達された熱を外部に放出する役割をする。それにより、ベース部２４は、放熱性に優れたヒートシンクとして機能し、単電池１４を冷却することができる。
【００４７】
加えて、第１のリブ２４ｄがベース部２４の電池保持部２４ａから反単電池側（単電池１４が存在しない側）に突出しているため、複数の単電池１４の電池保持部２４ａ上での配置自由度が高い（第１のリブ２４ｄが単電池側に突出する場合に比べて）。また、そのために、電池保持部２４ａ上に配置できる単電池１４の個数またはそのサイズが増加する。したがって、蓄電装置１０のエネルギ密度が増加する。
【００４８】
さらに、第１および第２のキャップ２０、２２が装着された状態の単電池１４をベース部２４に取り付けるときに、その単電池１４が倒れないように第２のキャップ２２は構成されている。
【００４９】
具体的には、単電池１４が傾いても第２のキャップ２２の係合部２２ｂがベース部２４の係合穴２４ｂから抜け出ないように、第２のキャップ２２の係合部２２ｂは十分な高さ（高さ方向（Ｚ軸方向）のサイズ））を備える。これにより、第２のキャップ２２が装着された状態の単電池１４をベース部２４上に取り付けるときに、その単電池１４が既にベース部２４に取り付け済みの単電池１４に接触しても、その既に取り付け済みの単電池１４が倒れることがなくなる。その結果、蓄電装置１０の組み立て性が向上する。
【００５０】
さらにまた、図１に示すように、サイド部３０には、蓄電装置１０の状態を監視する監視モジュール３２が取り付けられている。監視モジュール３２は、例えば電池モジュール１２の単電池１４のいずれかに取り付けられたセンサ（図示せず）を介して、単電池１４の温度および電圧を監視するように構成されている。
【００５１】
加えて、図３に示すように、サイド部２８、３０は、ベース部２４およびカバー部２６を支持するとともに、複数の断熱板３４を支持する。
【００５２】
具体的には、断熱板３４は、幅方向（Ｘ軸方向）の両端がサイド部２８、３０によって支持され、奥行き方向（Ｙ軸方向）に隣接し合う単電池１４間の隙間に配置される。
この断熱板３４により、隣接する単電池１４からの放熱を原因とする単電池１４の温度上昇が抑制される。
【００５３】
単電池１４の温度に関連して、図１および図３に示すように、単電池１４を冷却するための気流が通過する幅方向（Ｘ軸方向）に長いスロット状の複数の通風口（開口）２６ｂがカバー部２６に形成されている。
【００５４】
また、図２および図３に示すように、同様に、ベース部２４にも、幅方向（Ｘ軸方向）に長いスロット状の複数の通風口２４ｅが形成されている。
【００５５】
図１２は、蓄電装置１０の概略的な断面図である。図１２に示すように、カバー部２６の通風口２６ｂは、奥行き方向（Ｙ軸方向）に隣接し合う単電池１４の間の隙間に対向するようにカバー部２６に形成されている。
【００５６】
一方、ベース部２４の通風口２４ｅは、奥行き方向（Ｙ軸方向）に隣接し合う単電池１４に装着された第２のキャップ２２の間の隙間に対向するベース部２４の位置に形成されている。したがって、カバー部２６の通風口２６ｂとベース部２４の通風口２４ｅは、高さ方向（Ｚ軸方向）に対向する。
【００５７】
カバー部２６の通風口２６ｂとベース部２４の通風口２４ｅとにより、奥行き方向（Ｙ軸方向）に隣接し合う単電池１４の間の隙間に、ベース部２４の通風口２４ｅからカバー部２６の通風口２６ｂに向かう気流Ｆ（発生）を発生させることが可能になる。
【００５８】
例えば、蓄電装置１０が鉄道車両の下部に取り付けられる場合、走行風がベース部２４の通風口２４ｅを介して流入し、単電池１４間の隙間を通過し、そしてカバー部２６の通風口２６ｂを介して流出する。この場合、走行風をベース部２４の通風口２４ｅに導くダクトなどのガイド手段（図示せず）が蓄電装置１０に設けられる。
【００５９】
このようなカバー部２６の通風口２６ｂとベース部２４の通風口２４ｅとにより、蓄電装置１０内の単電池１４それぞれを気流Ｆによって冷却することができる。また、複数の単電池１４の間の複数の隙間、すなわち複数の第２のキャップ２２の間の複数の隙間に対向する位置に、ピンポイントに通風口２４ｅをベース部２４に形成することにより、ベース部２４の剛性の低下を抑制することができる。すなわち、ベース部２４に形成される開口部を最小限におさえ、それによりベース部２４の剛性の低下が抑制される（剛性が十分に確保される）。
【００６０】
なお、ベース部２４の通風口２４ｅの一部は、第１のリブ２４ｄを切り起こしによって形成するときに生じる貫通穴で構成されている。これにより、ベース部２４において、通風口２４ｅと第１のリブ２４ｄを同時に作成することができる。また、第１のリブ２４ｄが、その対応する通風口２４ｅ内に気流Ｆを導くガイドとして機能する。その結果、通風口２４ｅに対向する単電池１４の間の隙間に多くの気流Ｆが流入し、それらの単電池１４が効率よく冷却される。
【００６１】
また、蓄電装置１０（すなわちベース部２４）を裏側から見た図１３に示すように、ベース部２４に形成された複数の通風口２４ｅは、ベース部２４の長手方向（すなわち幅方向（Ｘ軸方向））に互いに対向しないように該ベース部２４に形成されている。言い換えると、複数の通風口２４ｅは、それぞれの奥行き方向（Ｙ軸方向）の位置が異なる。
【００６２】
具体的に説明すると、図３に示すように、複数の単電池１４は、二列で奥行き方向（Ｙ軸方向）に並んでいる。したがって、その単電池１４の間の隙間に気流Ｆを発生させるためのベース部２４の通風口２４ｅも二列で奥行き方向に並んでいる。
【００６３】
このとき、一方の列（図中左側の列）の通風口２４ｅと他方の列（図中右側の列）の通風口２４ｅとが幅方向（Ｘ軸方向）に並ぶと、その間のベース部２４の部分に応力が集中し、その部分でベース部２４が変形するまたは破損する可能性がある。
【００６４】
このような応力集中を緩和するために、図１３に示すように、一方の列の通風口２４ｅと他方の列の通風口２４ｅとが幅方向（Ｘ軸方向）に対向しないように、複数の通風口２４ｅはベース部２４に形成されている。具体的には、図１３に示すように、隣接し合う第２のキャップ２２の間の隙間に対して通風口２４ｅの奥行き方向（Ｙ軸方向）の中心がずれ、且つ、一方の列の通風口２４ｅと他方の列の通風口２４ｅとが互いに逆方向にずれている。
【００６５】
さらに、ベース部２４の通風口２４ｅは、図２に示すように、その長手方向（Ｘ軸方向）が単電池１４の長手方向（Ｘ軸方向）と平行になるようにベース部２４に形成されている。すなわち、奥行き方向（Ｙ軸方向）に隣接し合う単電池１４間の隙間の長手方向と、通風口２４ｅの長手方向が平行である。これにより、通風口２４ｅを通過した気流Ｆの多くが、奥行き方向に隣接し合う単電池１４の間の隙間の流入し、単電池１４が効率よく冷却される（通風口２４ｅの長手方向が奥行き方向に対向し合う単電池１４間の隙間の長手方向に対してねじれの位置関係にある場合に比べて）。
【００６６】
コンパクトな蓄電装置１０を実現するためには、複数の単電池１４は、可能な限り密に並べるのが好ましい。ただし、複数の単電池１４を密に並べると、それらに装着された第２のキャップ２２の間の隙間が狭くなる。その結果、単電池１４の間の隙間を通過する気流Ｆの流量が減少し、単電池１４の冷却性が低下する。
【００６７】
その対処として、図８に示すように、第２のキャップ２２それぞれには、第１の凹部２２ｃと第２の凹部２２ｄとが形成されている。
【００６８】
なお、本明細書で言う第２のキャップ２２の「凹部」は、第２のキャップ２２の外側表面から窪んだ部分を言い、外側表面から内側表面に至る貫通部も含まれる。
【００６９】
図８に示すように、第１および第２の凹部２２ｃ、２２ｄは、奥行き方向（Ｙ軸方向）に対向し合う側壁部２２ｅ、２２ｆそれぞれに形成されている。また、第１の凹部２２ｃは切り込み状であって、第２の凹部２２ｄは貫通穴状である。
【００７０】
具体的には、奥行き方向（Ｙ軸方向）に隣接し合う第２のキャップ２２の断面図である図１４に示すように、第１の凹部２２ｃは、第２のキャップ２２の開口端２２ｇから高さ方向（Ｚ軸方向）の概ね中央部まで延在するように開口端２２ｇから側壁部２２ｅを切り込んで形成されている。すなわち、第１の凹部２２ｃは、隣接し合う単電池１４間の隙間に連通している。
【００７１】
一方、第２の凹部２２ｄは、第２のキャップ２２の底部２２ａから高さ方向（Ｚ軸方向）の概ね中央部まで延在するように側壁部２２ｆを貫通して形成されている。言い換えると、第２の凹部２２ｄは、図８に示すように、第２のキャップ２２の開口端２２ｇから底部２２ａまで切り込み、その切り込みと開口端２２ｇとに挟まれた２つの角部を幅方向（Ｘ軸方向）に延在する橋渡し部２２ｊで連結することによって形成される貫通穴状である。すなわち、第２の凹部２２ｄは、キャップ２２の底部２２ａに連通している。
【００７２】
したがって、第１の凹部２２ｃの一部と第２の凹部２２ｄの一部とが、第２のキャップ２２の高さ方向（Ｚ軸方向）の概ね中央位置で奥行き方向（Ｙ軸方向）に対向している。
【００７３】
図１２および図１４に示すように、このような第１および第２の凹部２２ｃ、２２ｄを備える複数の第２のキャップ２２を奥行き方向（Ｙ軸方向）に並べると、隣接し合う第２のキャップ２２の一方の第１の凹部２２ｃと他方の第２の凹部２２ｄとが部分的に対向する。本実施の形態の場合、具体的には、第２のキャップ２２の高さ方向（Ｚ軸方向）の概ね中央位置で、一方の第２のキャップ２２の第１の凹部２２ｃと他方の第２のキャップ２２の第２の凹部２２ｄとが対向する。
【００７４】
図１４に示すように、一方の第２のキャップ２２の第１の凹部２２ｃと他方の第２のキャップ２２の第２の凹部２２ｄとが対向することにより、これらの第２のキャップ２２の間に高さ方向（Ｚ軸方向）に延在する気流Ｆ（破線）の流路が構成される。すなわち、隣接し合う単電池１４間の隙間に連通し、且つ、第２のキャップ２２の底部２２ａに連通する気流Ｆの流路が形成される。気流Ｆは、他方の第２のキャップ２２の第２の凹部２２ｄ内を通過した後、一方の第２のキャップ２２の第１の凹部２２ｃ内を通過する。
【００７５】
このように第１の凹部２２ｃと第２の凹部２２ｄとが対向して第２のキャップ２２間に気流Ｆの流路を形成することにより、単電池１４の間の隙間を流れる気流Ｆの流量が増加する（これらの凹部が存在しない場合に比べて）。したがって、単電池１４を密に並べて第２のキャップ２２間の隙間が狭くなっても、第１の凹部２２ｃと第２の凹部２２ｄとによって十分量の気流Ｆが単電池１４の間の隙間を流れることができる。その結果、単電池１４それぞれの冷却性の低下を抑制しつつ、複数の単電池１４を密に並べてコンパクトなサイズの蓄電装置１０を実現することができる。
【００７６】
なお、第２のキャップ２２の側壁部２２ｅ、２２ｆの一方のみに、気流Ｆが流れる流路として、単電池１４の隙間と第２のキャップ２２の底部２２ａとに連通する凹部を形成することが考えられる。しかし、そのような凹部が形成された第２のキャップ２２の側壁部の剛性が低下する可能性がある。その結果、蓄電装置１０が車両に搭載される場合、走行中の車両の振動によって第２のキャップ２２が破損する可能性がある。その剛性の低下を抑制するためにその凹部が形成された側壁部を肉厚に構成することが考えられるが、それにより第２のキャップ２２が大型化し、その結果として単電池１４を密に並べることが困難になる。
【００７７】
また、単電池１４の隙間と第２のキャップ２２の底部とを連通する気流Ｆの流路を、凹部ではなく貫通穴で構成することが考えられる。しかし、そのような貫通穴を形成された第２のキャップ２２の側壁部の剛性が低下する可能性がある。その剛性の低下を抑制するためにその貫通穴が形成された側壁部を肉厚に構成することが考えられるが、それにより第２のキャップ２２が大型化し、その結果として単電池１４を密に並べることが困難になる。また、貫通穴の場合、凹部に比べて第２のキャップ２２の加工コストが上がる。
【００７８】
また、第１および第２の凹部２２ｃ、２２ｄが貫通穴状であるため、その凹部２２ｃ、２２ｄによって構成される気流Ｆの流路内に、第２のキャップ２２によって覆われた単電池１４の部分の一部が露出する。その結果、第２のキャップ２２によって覆われた単電池１４の部分が冷却される。
【００７９】
したがって、本実施の形態のように、隣接し合う第２のキャップ２２それぞれに形成された凹部２２ｃ、２２ｄを対向させることにより、第２のキャップ２２の剛性を維持しつつ第２のキャップ２２間に気流Ｆの流路を形成することができる。
【００８０】
上述したように、第２のキャップ２２の間に気流Ｆの流路を形成するためには、第１の凹部２２ｃと第２の凹部２２ｄとが奥行き方向（Ｙ軸方向）に対向する正常な姿勢で、複数の第２のキャップ２２をベース部２４に取り付ける必要がある。
【００８１】
複数の第２のキャップ２２をその奥行き方向（Ｙ軸方向）の向きを間違えることなく正常な姿勢でベース部２４に取り付けるために、図９に示すように、第２のキャップ２２それぞれは、その底部２２ａに高さ方向（Ｚ軸方向）に突出する突起部２２ｈが設けられている。
【００８２】
具体的には、図３に示すように、第２のキャップ２２がベース部２４に取り付けられるとき、第２のキャップ２２の２つの係合部２２ｂがベース部２４の２つの係合穴２４ｂに挿通される。この２つの係合穴２４ｂは幅方向（Ｘ軸方向）に並んでいるため、第２のキャップ２２は奥行き方向（Ｙ軸方向）の向きを間違えてベース部２４に取り付けられる可能性がある。
【００８３】
この奥行き方向（Ｙ軸方向）の向きの間違いを防止するために第２のキャップ２２の底部２２ａに設けられている突起部２２ｈは、第２のキャップ２２が正しい奥行き方向の向きでベース部２４に取り付けられたときには通風口２４ｅを通過することができる。一方、第２のキャップ２２が間違った奥行き方向の向きの場合、突起部２２ｈはベース部２４の電池保持部２４ａに当たり、それにより第２のキャップ２２の係合部２２ｂがベース部２４の係合穴２４ｂに係合できない。
【００８４】
このような突起部２２ｈを第２のキャップ２２に設けることにより、第１の凹部２２ｃと第２の凹部２２ｄとが確実に対向した状態で複数の第２のキャップ２２をベース部２４に取り付けることができる。その結果、気流Ｆの流路が、第２のキャップ２２の間に、対向し合う第１の凹部２２ｃと第２の凹部２２ｄとによって確実に形成される。
【００８５】
なお、第２のキャップ２２をその奥行き方向（Ｙ軸方向）の向きが正しい状態でベース部２４に係合させるための手段は、第２のキャップ２２に形成された突起部２２ｈに限らない。例えば、第２のキャップ２２の係合部２２ｂとベース部２４の係合穴２４ｂの形状を、第２のキャップ２２の奥行き方向（Ｙ軸方向）の向きが第１の凹部２２ｃと第２の凹部２２ｄとが対向できる正しい向きの場合にのみ係合できる形状、例えば三角形状にしてもよい。
【００８６】
さらに、図３に示すように、単電池１４の間の隙間を通過して該単電池１４を冷却する気流Ｆの出口であるカバー部２６の通風口２６ｂの開口面積を、気流Ｆの入口であるベース部２４の通風口２４ｅの開口面積に比べて小さくしてもよい。
【００８７】
カバー部２６の通風口２６ｂの開口面積は、通風口２６ｂを介して単電池１４の外部端子（正極端子１４ａおよび負極端子１４ｂ）にユーザが触れることができないサイズ、すなわちユーザの指が通過できないサイズに決定されている。このようなカバー部２６の通風口２６ｂの開口面積に比べて、ベース部２４の通風口２４ｅの開口面積が大きくされる。
【００８８】
これにより、ベース部２４の通風口２４ｅを介して該ベース部２４とカバー部２６との間に大量の気流Ｆが流入する。また、出口であるカバー部２６の通風口２６ｂが入口であるベース部２４の通風口２４ｅに比べて小さいために、ベース部２４の通風口２４ｅを通過した気流Ｆの一部がすぐにカバー部２６の通風口２６ｂを介して外部に出ずに、単電池１４の周りに流れる。例えば、幅方向（Ｘ軸方向）に隣接し合う単電池１４の間の隙間を気流が流れる。その結果、カバー部２６の通風口２６ｂの開口面積がベース部２４の通風口２４ｅの開口面積に比べて大きいまたは等しい場合に比べて、複数の単電池１４がより冷却される。
【００８９】
本実施の形態によれば、第１のリブ２４ｄおよび第２のリブ２４ｃを備えることにより、軽量で且つ高い剛性を持ち、また単電池１４を冷却するための開口（通風口２４ｅ）を備えるベース部２４を実現することができる。その結果、ベース部２４を備える蓄電装置１０について、重量増加を抑制しつつ、より高い剛性を実現することができる。
【００９０】
以上、上述の実施の形態を挙げて本発明を説明したが、本発明は上述の実施の形態に限定されない。
【００９１】
例えば、上述の実施の形態の場合、ベース部２４には枠状の第２のリブ２４ｃとその内側に第１のリブ２４ｄが形成されているが、本発明はこれに限定されない。剛性が十分に確保することができるのであれば、枠状の第２のリブ２４ｃを省略してもよい。また、上述の実施の形態の場合、第１のリブ２４ｄは切り起こしであるが、これに限らない。第１のリブは、複数の単電池が並べられるベース部の電池保持部から反単電池側に突出し、それによってたわみ変形に対するベース部の剛性を向上させることができるのであれば、その形状および数は問わない。
【００９２】
また、上述の実施の形態の場合、例えば、複数の単電池１４の下側端部を覆うために、複数の第２のキャップ２２が使用されている。しかしながら、これに限らない。
【００９３】
図１５は、異なる形態の第２のキャップの断面図である。
【００９４】
図１５に示す第２のキャップ２２２は、蓄電装置に対して１つだけ設けられ、複数の単電池１４の下側端部を覆っている。すなわち、第２のキャップ２２２は、トレイ状であって、複数の単電池１４の下側端部を収容して覆う複数の収容穴２２２ｊを備える。
【００９５】
図１５に示すように、第２のキャップ２２２は、複数の収容穴２２２ｊを画定する仕切り壁部２２２ｋ（隣接し合う単電池１４の下端部に挟まれる部分）に、気流Ｆの流路２２２ｍが形成されている。この流路２２２ｍそれぞれは、気流Ｆが流れ、一端が隣接し合う単電池１４間の隙間（すなわち仕切り壁部２２２ｋの上部の空間）に連通し、且つ、他端が第２のキャップ２２２の底部２２２ａに連通している。また、この流路２２２ｍは、隣接し合う収容孔２２２ｊを交互に通過するように仕切り壁部２２２ｋに形成されている。それにより、流路２２２ｍを流れる気流Ｆが、隣接し合う収容穴２２２ｊに交互に進入する、すなわち隣接し合う単電池１４に交互に接触する。これにより、第２のキャップ２２２の収容穴２２２ｊに覆われている単電池１４の下端部が気流Ｆによって冷却される。なお、仕切り壁部２２２ｋに形成される流路２２２ｍは、収容穴２２２ｊに連通することなく、隣接し合う単電池１４間の隙間に連通してもよい。
【産業上の利用可能性】
【００９６】
本発明は、複数の単電池を備える蓄電装置に適用可能である。
【符号の説明】
【００９７】
１０    蓄電装置
１４    単電池
２４    ベース部
２４ａ  電池保持部
２４ｅ  開口（通風口）
【図１】
0006657723.tif 000002
【図２】
0006657723.tif 000003
【図３】
0006657723.tif 000004
【図４】
0006657723.tif 000005
【図５】
0006657723.tif 000006
【図６】
0006657723.tif 000007
【図７】
0006657723.tif 000008
【図８】
0006657723.tif 000009
【図９】
0006657723.tif 000010
【図１０】
0006657723.tif 000011
【図１１】
0006657723.tif 000012
【図１２】
0006657723.tif 000013
【図１３】
0006657723.tif 000014
【図１４】
0006657723.tif 000015
【図１５】
0006657723.tif 000016